(57)【要約】【課題】本体部の長手方向に対して垂直な前面側もしくは背面側から当該面の略垂直方向を撮影するスタイルで撮影できるものにおいて、より使い勝手の優れたカメラ付携帯端末機を提供する。【解決手段】カメラ付携帯電話機１の本体部２は、カメラ６の撮影口６ａが背面部２ｂに面して構成されており、可動部１０および反射鏡１１が本体部２の背面部２ｂの外面に面一に収納された状態では、長手方向に対して背面側の垂直方向を撮影するようになっている。反射鏡１１は、背面側に配設された可動部１０の起立部１３の前面側に設けられている。可動部１０および反射鏡１１が背面部２ｂの外面に面一に収納された状態から、ユーザがスライド操作部１２を上方向にスライド操作すると、起立部１３が起き上がり、起き上がり終了状態で光軸が斜めに遮断され、光軸が折り曲げられる。これによりユーザの前方に位置する被写体Ｈ２を撮影することができる。【選択図】　図１
2004080147.tif 000002
【特許請求の範囲】
【請求項１】
複数の受光素子が面状に配列されてなる受光センサおよび該受光センサに被写体の像を結像させる第１の光学部を備えたカメラを本体部に内蔵して構成されるカメラ付携帯端末機において、
通常位置から前記第１の光学部の光軸を遮断する撮影方向切換位置に移動可能に設けられ、前記撮影方向切換位置に移動した状態で前記第１の光学部の光軸を長手方向先端方向に折り曲げる第２の光学部を設け、
前記第２の光学部が前記撮影方向切換位置に位置するのに応じて前記カメラの撮影方向を切換えることを特徴とするカメラ付携帯端末機。
【請求項２】
請求項１記載のカメラ付携帯端末機において、
操作指示面を有した操作部を前記本体部に備え、
前記第２の光学部は、前記撮影方向切換位置に位置した状態で前記操作指示面に沿った方向に光軸を形成するように前記第１の光学部の光軸を折り曲げるように構成され、前記カメラの撮影方向を前記操作指示面の面方向に沿った方向とすることを特徴とするカメラ付携帯端末機。
【請求項３】
請求項１または２記載のカメラ付携帯端末機において、
前記カメラにより撮影された撮影画面を表示する表示部を備え、
前記第２の光学部は、前記本体部に対して前記表示部の反対面に位置するように構成されていることを特徴とするカメラ付携帯端末機。
【請求項４】
請求項１ないし３の何れかに記載のカメラ付携帯端末機において、
前記第２の光学部は、前記通常位置に位置した状態でその外面が前記本体部の外面に略面一となるように構成されていることを特徴とするカメラ付携帯端末機。
【請求項５】
請求項１ないし４の何れかに記載のカメラ付携帯端末機において、
前記第２の光学部は、前記撮影方向切換位置に位置した状態で前記被写体としての光学情報を前記第１の光学部の光軸と直交する横軸方向に拡大して前記受光センサに結像させるように構成されていることを特徴とするカメラ付携帯端末機。
【請求項６】
請求項５記載のカメラ付携帯端末機において、
前記第２の光学部は凹面鏡を備えて構成され、当該凹面鏡により光学情報を前記横軸方向に拡大することを特徴とするカメラ付携帯端末機。
【請求項７】
請求項１ないし６の何れかに記載のカメラ付携帯端末機において、
前記第２の光学部は、
前記第１の光学部の光軸に対して直交する方向にスライド操作可能なるスライド操作部と、
このスライド操作部のスライドに応じて起き上がり、起き上がり終了状態で前記第１の光学部の光軸を斜めに遮断する起立部と、
この起立部に設けられ前記第１の光学部の光軸を折り曲げる光学部材とを備えて構成されていることを特徴とするカメラ付携帯端末機。
【請求項８】
請求項７記載のカメラ付携帯端末機において、
前記第２の光学部は、前記通常位置と前記撮影方向切換位置とに位置決め固定する位置決め機構を備えたことを特徴とするカメラ付携帯端末機。
【発明の詳細な説明】
【０００１】
【発明の属する技術分野】
本発明は、複数の受光素子が面状に配列されてなる受光センサに被写体の像を結像させる光学部を備えたカメラを本体部に内蔵して構成されるカメラ付携帯端末機に関する。
【０００２】
【発明が解決しようとする課題】
近年、携帯電話機やＰＤＡ等の携帯端末機として、カメラを内蔵したものが普及されている。このカメラは、複数の受光素子が面状に配列された受光センサに被写体の像を結像させる光学部を内蔵して構成されており、最大３０万画素程度のものである。カメラは人物の顔や風景等を被写体として写し電子メールに添付して送信したり電話の待受画面に設定する用途等に使用されている。
【０００３】
カメラ付携帯端末機は、例えば、カメラが本体部の長手方向に対して略垂直な前面側もしくは背面側に設けられているものが主流であり、前面側もしくは背面側から当該面の略垂直方向を撮影するようになっている。しかしながら、このような撮影スタイルでは、例えば携帯電話機の長手方向を垂直方向に保持して撮影しなければならないため、使用状況によっては撮影方向をユーザの前方に位置する被写体に合わせ難いという問題を生じており、より使い勝手の優れたカメラ付携帯端末機が望まれている。
【０００４】
本発明は、上記事情に鑑みてなされたものであり、その目的は、本体部の長手方向に対して垂直な前面側もしくは背面側から当該面の略垂直方向を撮影するスタイルで撮影できるものにおいて、より使い勝手の優れたカメラ付携帯端末機を提供することにある。
【０００５】
【課題を解決するための手段】
請求項１記載の発明によれば、第２の光学部が撮影方向切換位置に移動した状態では、本体部の長手方向先端方向に光軸が形成されるため、ユーザは下方から本体部の長手方向の先端を被写体に向けることで撮影方向を被写体に合わせることができ、携帯端末機の上方、すなわち、ユーザの前方に位置する被写体に撮影方向を合わせやすくなり当該被写体を撮影することができる。
【０００６】
第２の光学部が通常位置に位置する場合には、例えば従来通り本体部の長手方向に略垂直な前面側もしくは背面側から当該面の略垂直方向に位置する被写体をカメラにより撮影することができる。これにより、従来のように本体部の長手方向に対して垂直な前面側もしくは背面側から当該面の略垂直方向を撮影するスタイルでも撮影できるようにした上で、携帯端末機の上方、ユーザの前方に位置する被写体に撮影方向を合わせ易くすることができ、より使い勝手の優れたものとすることができる。
【０００７】
請求項２記載の発明によれば、請求項１記載の発明において、操作部の操作指示面に沿った方向に光軸を形成するように第１の光学部の光軸を折り曲げるようにし、カメラの撮影方向を操作指示面の面方向に沿った方向とするので、ユーザは特に操作部の操作指示面に平行な方向を意識することにより撮影方向を被写体に合わせることができ撮影することができる。これにより、撮影方向を、ユーザの前方に位置した被写体により合わせやすくなる。
【０００８】
請求項３記載の発明によれば、請求項１または２記載の発明において、第２の光学部が本体部に対して表示部の反対面に位置するようにしたので、たとえ表示部が位置する面に多くの部品を搭載する必要が生じたとしても、たとえ表示部３が前面側に大きく面積を占有するとしても、カメラ付携帯端末機の部品配置に悪影響を及ぼすことなく配設することができる。また、ユーザは、カメラが捉え表示部に表示された画像を確認しながら操作することができる。しかも、被写体の画像が良好な状態で得られているか否かを確認することができる。
【０００９】
このような発明において、請求項４記載の発明によれば、第２の光学部は、通常位置に位置すると、その外面が本体部の外面に略面一となるので、第２の光学部の不使用時にユーザにとって邪魔な部材とならず、利便性を向上することができる。
【００１０】
ところで近年、スーパーのレジ等におけるＰＯＳシステムのように、バーコードや二次元コードなどの光学情報を用いたシステムが幅広く利用されてきているが、このようなシステムで光学情報を読取るためには、専用の光学情報読取装置が必要とされている。このような光学情報読取装置は、上述したカメラ付携帯端末機とは全く設計思想が異なり、カメラ付携帯端末機のカメラを使用して上述した微細な光学情報を読取るためには撮影距離（合焦点距離）が遠く（例えば６０ｃｍ以上）、さらに、分解能が多少不足することが発明者らにより確認されている。しかし、この撮影距離が遠い点や分解能不足をカバーすることにより光学情報を読取る用途にも使用できるため、より汎用性を向上したカメラ付携帯端末機を提供することができる。
【００１１】
そこで、請求項５記載の発明は、請求項１ないし４の何れかに記載の発明において、第２の光学部が前記撮影方向切換位置に位置した状態で、被写体としての光学情報を第１の光学部の光軸と直交する横軸方向に拡大して受光センサに結像させるように構成している。このような手段によれば、第２の光学部により撮影距離を近づけることができると共に光学情報を読取る倍率を上げることができるため、カメラ付携帯端末機を、光学情報を読取る用途にも使用することができる。
【００１２】
この場合、凸レンズを使用することによっても拡大することができるが、請求項６記載の発明のように、凹面を反射面とする凹面鏡を備えて第２の光学部を構成することが望ましい。この場合には、凸レンズを使用するものに比較してコストを抑制しながら光学情報を拡大して撮影することができる。
【００１３】
請求項７記載の発明によれば、次のように作用する。すなわち、スライド操作部が操作されると、起立部は、スライド操作部のスライドに応じて起き上がり、起き上がり終了状態で第１の光学部の光軸を斜めに遮断し、光学部材により光軸が折り曲げられる。これにより、第２の光学部が位置する通常位置と撮影方向切換位置との切換えを簡単な構造により実現することができる。
【００１４】
請求項８記載の発明によれば、第２の光学部の位置決め機構により、通常位置と撮影方向切換位置とに位置決め固定されるため、操作性，安定性をより向上することができる。
【００１５】
【発明の実施の形態】
（第１の実施形態）
以下、本発明の第１の実施形態について、図１ないし図６を参照しながら説明する。この実施形態においては、カメラ付携帯端末機としてのストレート式のカメラ内蔵型携帯電話機により、ユーザの前方に位置する被写体（風景や人物等）を撮影する実施形態を示す。
【００１６】
カメラ内蔵型携帯電話機１は、携帯可能に構成されており、図２（ａ）に示すように、縦長形状を有する本体部２の前面部２ａに、カラー液晶ディスプレイからなる表示部３および複数個のキー４ａを備えた操作部４が設けられている。操作部４は、ダイヤルキーや、電源／終了キー、各種操作機能キー、カメラ用のシャッターキー等のキーを備えており、被写体Ｈ１（図３（ａ）参照）を撮影指示するためにも設けられているものである。これらのキーは、例えば操作指示面４ｂに面一に操作面が形成された状態で本体部２に埋め込まれ設けられている。
【００１７】
また、本体部２の上部（先端部）には、無線通信用のアンテナ５が設けられている。なお、本体部２の前面部２ａおよび背面部２ｂの面は略平行になっており、ユーザは、携帯電話機１を図２（ａ）に示す下方から通常操作するようになっている。
【００１８】
また、携帯電話機１の背面側の上部には、図２（ｂ）に示すように、カメラ６の撮影口６ａが本体部２の背面部２ｂに面して構成されており、本体部２の背面側下部には、バッテリ７が収納されている。カメラの撮影口６ａは、本体部２の長手方向（携帯電話機１の上下方向，図３（ａ）の左右方向）に対して略垂直な背面側に設けられており、カメラ６により、背面側の垂直方向を撮影するようになっている。具体的には、カメラ６は、図３（ａ）に縦断側面を示すように、本体部２に内蔵しながら本体部２の背面部２ｂの上部に位置して設けられており、受光センサとしてのＣＭＯＳイメージセンサ８、および第１の光学部としての結像レンズ９を備えて構成されている。
【００１９】
ＣＭＯＳイメージセンサ８は、複数の受光素子が面状に配列されて構成されており、例えば数万〜３０万画素程度のものでなっている。また結像レンズ９は、図３（ａ）および図１（ａ）では簡略化して１枚の凸レンズにより示しているが、実際には複数のレンズから構成されており、外部から光を入射しＣＭＯＳイメージセンサ８に被写体Ｈ１の像を結像させるようになっている。このときの光軸Ｅは、背面部２ｂに対して略垂直方向に設定されている。また、図示しない絞り機構やオートフォーカス機構なども設けられている。このときの合焦点距離は、背面部２ｂから約５０ｃｍ〜６０ｃｍの範囲で設定されるようになっている。
【００２０】
＜第２の光学部について＞
撮影口６ａの周囲には、図３に示すように、本体部２の背面側に位置して、可動部１０および光学部材としての反射鏡１１が、第２の光学部Ｃとして設けられている。図３（ｂ）は、携帯電話機１の背面図を示している。可動部１０は、撮影口６ａの下方に配設され本体部２の背面（外面）部２ｂのガイド部に沿って撮影口６ａ側の上下方向（図３（ａ）参照）に摺動（スライド）操作が可能に構成された平板状のスライド操作部１２と、このスライド操作部１２の撮影口６ａ側に位置する一端部１３ａが連結軸１４を介して連結された平板状の起立部１３と、撮影口６ａの両側方に位置し、撮影口６ａの上方の本体部２内に配設された基軸１５を中心として本体部２の背面側（外側）に回動可能なる２つの回動部１６とを備えて構成されている。スライド操作部１２は、カメラ６により形成される光軸Ｅに対して直交する方向にスライド操作可能に構成されている。
【００２１】
スライド操作部１２には、その両側部に位置して、２つの弾性片部１２ａが下側の基端部から上側へ延設された状態でそれぞれ中空部１２ｂを介して一体に形成され（図３（ｂ），図３（ｃ）参照）、それらの弾性片部１２ａの上側先端部に位置してそれぞれ外側方に凸となるように位置決め機構として機能する係合爪１２ｃが一体に設けられている。この係合爪１２ｃは、本体部２に形成された係合孔２ｃの下基端部側の対応した位置（凸状の孔が形成されている）に位置決め状態に嵌合されており、弾性片部１２ａにより内側方への動作（弾性変形）が可能とされている。係合孔２ｃは、この凸状の孔から上方に向けて直線状にガイド部として形成されており、さらに係合孔２ｃの上先端部には凸状の孔が外側方に向けて形成されている。
【００２２】
弾性片部１２ａが内側方へ弾性変形することにより、スライド操作部１２は当該ガイド部に沿って上下方向にスライド操作可能になっており、スライドされることにより係合爪１２ｃが係合孔２ｃの上先端部もしくは下基端部側の孔に嵌り込むようになる。この係合爪１２ｃと係合孔２ｃの下基端部側に形成された凸状の孔との嵌合によりスライド操作部１２は、通常位置に位置決め状態に固定されるようになっている。また、係合爪１２ｃと係合孔２ｃの上先端部に形成された凸状の孔との嵌合によりスライド操作部１２は、撮影方向切換位置に位置決め状態に固定されるようになっている。
【００２３】
２つの回動部１６は、撮影口６ａの両側方に位置して、上下方向に延びた長棒状に配設されている。また、起立部１３の撮影口６ａ側の他端部１３ｂは回動部１６に一体に形成された連結軸１６ａを介して回動先端部１７に連結されている。この起立部１３には当該起立部１３の前面側（内側）に位置して、反射鏡１１が設けられている。なお、可動部１０および反射鏡１１は別体に形成されているが、一体形成されていても良い。このようにして、可動部１０および反射鏡１１は、本体部２に対して表示部３の反対面に位置するように構成されている。これにより、たとえ表示部３が位置する前面部２ａに多くの部品を搭載する必要が生じたとしても、たとえ表示部３が前面側に大きく面積を占有するとしても、他の部品配置に悪影響を及ぼすことなく可動部１０および反射鏡１１を配設することができる。
【００２４】
この可動部１０は、図３に示す非使用状態において、反射鏡１１が被写体Ｈ１とカメラ６との間に移動されず、カメラ６が形成する光軸Ｅ上に光学系の一部を構成しない場合には、可動部１０および反射鏡１１が本体部２の背面部２ｂから突出せず本体部２の背面部２ｂに面一となるように本体部２内に収納されている（図３（ａ）参照）。
【００２５】
また、本体部２の内部には、携帯電話機１の全体の電気的構成を制御するＣＰＵや制御用プログラムが記憶されたメモリ等による制御回路（何れも図示せず）、さらに、スピーカおよびマイクが内蔵されて設けられており、外部と通話を行う電話機本来の機能のほか、外部端末と通信網を介して電子メールを送受信する機能を実現するようになっている。上述したメモリは、各種データを記憶するようになっており、カメラ６により撮影された画像データを記憶する画像用領域も確保されている。
【００２６】
携帯電話機１の制御回路は、カメラ撮影モードに設定されると、カメラ６により撮影された被写体Ｈ１の画像を表示部３にほぼリアルタイムで表示させる。このとき、ユーザは表示部３に映し出され表示される画面を視覚的に認識しながら、被写体Ｈ１が表示画面内に入るように撮影方向を合わせる。すなわち、表示部３はファインダとして機能するものである。そして、ユーザが撮影したい所望の画面となったときに、ユーザが操作部４のカメラ用のシャッターキーを押下すると、制御回路は、シャッターキー押下を検出しカメラ６により撮影させ、撮影された画像をメモリに記憶し、表示部３の表示を停止させ撮影状態を表示するようになっている。このようにしてディジタルカメラとしての機能を実現するようになっており、また、制御回路はユーザにより指示を受けると、このメモリに記憶された画像をメールに添付して外部に送信したり表示部３に待受画面として設定するようになっている。
【００２７】
上述構成の作用について、図１および図４ないし図６をも参照しながら説明する。
例えば、携帯電話機１のユーザが携帯電話機１の上方（図３（ａ）の左方）に位置する被写体Ｈ２（図１参照）をカメラで撮影する際には、図３（ａ）および図３（ｂ）に示す可動部１０および反射鏡１１の非使用状態において、ユーザがスライド操作部１２を背面側のガイド部に沿って上方に操作する。この操作により、起立部１３の一端部１３ａが撮影口６ａ側にスライドする。すなわち、光軸Ｅに対して略垂直方向にスライドする。すると、回動部１６の作用により起立部１３の他端部１３ｂが基軸１５の位置を中心として背面側（外側）に起き上がる。このときスライド操作部１２の係合爪１２ｃは、係合孔２ｃに沿って上先端部の凸状の孔に嵌り込むことにより、可動部１０が位置決め状態に固定される。
【００２８】
可動部１０が位置決め状態に固定されると、起き上がり終了状態となり、起立部１３に内側に配設された反射鏡１１により光軸Ｅが斜めに遮断される。これが撮影方向切換位置に移動した状態である。この場合、光軸Ｅは反射鏡１１により折り曲げられ、本体部２の上方に位置する被写体Ｈ２を撮影することができる。図４ないし図５は、第２の光学部が撮影方向切換位置にあるときの位置決め状態をそれぞれ背面斜視図および背面図により示しており、図１は縦断側面を示している。
図１において、可動部１０および反射部１１が、撮影方向切換位置における位置決め状態に固定されると、反射角度θが略９０度となるように設定されており、光軸Ｅが切換えられ反射鏡１１が光学系の一部を構成する。このとき、可動部１０および反射鏡１１は本体部２の背面部２ｂに対して背面側に突出され、可動部１０は使用状態にされる。この場合、図１に示すように、本体部２の長手方向先端方向に光軸Ｅ２が形成され、操作部４の操作指示面４ｂに面一な面と略平行な平面上に光軸Ｅ２が形成されるように光軸が折り曲げられ、撮影方向が切換えられる。さらに、図１に示すように、操作指示面４ｂに沿った方向に光軸が形成されることにより、カメラ６の撮影方向が操作指示面４ｂの面方向に沿った方向に切換えられる。
【００２９】
そして、携帯電話機１の上方に位置する他の被写体Ｈ２の像をＣＭＯＳイメージセンサ８に結像させることができる。なお、図６は、このときの光学系の構成を概略的に示している。
【００３０】
これにより、本体部２の上方に位置する被写体Ｈ２を撮影できるようになる。ユーザは本体部２の長手方向の先端を被写体Ｈ２に向けることで撮影方向を被写体Ｈ２に合わせることができ、被写体Ｈ２および本体部２の下方側から被写体Ｈ２を撮影することができる。特に、ユーザは操作指示面４ｂに平行な方向を意識することにより撮影方向を被写体Ｈ２に合わせることができ、撮影方向をより合わせやすくなる。ユーザは、被写体Ｈ２の位置を視覚的に認識しながら前面側に位置する表示部３に映し出される撮影画面を見て撮影位置を調整することができる。
【００３１】
このような第１の実施形態によれば、可動部１０および反射鏡１１が撮影方向切換位置に移動した状態では、反射鏡１１の反射角度θが略９０度となるように設定され、本体部２の長手方向先端方向（携帯電話機１の上方向）に光軸Ｅ２が形成されるため、ユーザは携帯電話機１の下方から例えば身体の正面から本体部２の長手方向の先端を被写体Ｈ２に向けることで撮影方向を被写体Ｈ２に合わせることができ、携帯電話機１の上方、すなわち、ユーザの前方に位置する被写体Ｈ２に撮影方向を合わせやすくなり被写体Ｈ２を撮影することができる。可動部１０および反射鏡１１が通常位置に位置する場合には、可動部１０および反射鏡１１が光軸Ｅを遮断しない状態に設定されるので、本体部２の長手方向に略垂直な背面側から当該面の略垂直方向に位置する被写体Ｈ２を撮影することができる。これにより、本体部２の長手方向に対して垂直な背面側から面の垂直方向を撮影するスタイルでも撮影できるようにした上で、携帯電話機１の上方、すなわち、ユーザの前方に位置する被写体Ｈ２に撮影方向を合わせ易くすることができ、より使い勝手の優れたものとすることができる。
【００３２】
操作部４の操作指示面４ｂに沿った方向に光軸Ｅ２を形成するようにカメラ６の光軸Ｅを折り曲げるようにし、カメラ６の撮影方向を操作指示面４ｂの面方向に沿った方向とするので、ユーザは特に操作部４の操作指示面４ｂに平行な方向を意識することにより撮影方向を被写体Ｈ２に合わせることができ撮影することができる。これによりユーザの前方に位置した被写体Ｈ２に撮影方向をより合わせやすくなる。
可動部１０および反射鏡１１が、本体部２に対して表示部３が位置する反対面となる背面部２ｂに位置するようにしたので、たとえ表示部３が位置する前面部２ａに多くの部品を搭載する必要が生じたとしても、たとえ表示部３が前面側に大きく面積を占有するとしても、携帯電話機１を構成する他の部品の配置に悪影響を及ぼすことなく配設することができる。
【００３３】
可動部１０および反射鏡１１が、通常位置に位置した場合、その外面が本体部の背面部２ｂに略面一となるので、可動部１０および反射鏡１１の不使用時にユーザにとって邪魔な部材とならず、利便性を向上することができる。
【００３４】
係合爪１２ｃが通常位置と撮影方向切換位置とに可動部１０および反射鏡１１を位置決めするため、操作性，安定性をより向上することができる。
【００３５】
反射鏡１１が、本体部２に対して表示部３の位置する反対面（背面側）に位置し、かつ、起立部１３の前面側（内側）に配設されるため、反射鏡１１が外部からの衝撃より守られ、反射鏡１１を保護することができる。
【００３６】
反射鏡１１が、本体部２に対して表示部３の反対側となる背面側に位置し、本体部２の上方に位置する他の被写体Ｈ２の像をＣＭＯＳイメージセンサ８に結像させるため、ユーザは本体部２の上方に位置する被写体Ｈ２を視覚的に認識しながら表示部３に映し出される撮影画面を見て撮影位置を調整することができる。可動部１０および反射鏡１１を本体部２に設けたので、別途部品を必要とすることなく本体部２の上方に位置する被写体Ｈ２を撮影することができる。
【００３７】
（第２の実施形態）
図７および図８は、本発明の第２の実施形態を示すもので、第１の実施形態と異なるところは、反射鏡１１に代えて凹面鏡を適用し、受光センサに結像させるように光学系を構成し、バーコード（１次元コード）や２次元コード等の光学情報を読取るに適したカメラ付携帯電話機の実施形態を示すものである。第１の実施形態と同一部分に付いては同一符号を付してその説明を省略し、以下、異なる部分についてのみ説明する。
図７は、反射鏡に代えて凹面鏡を適用したときの光学系の構成を概略的に示している。凹面鏡２０は、可動部１０により使用状態にされたときに、Ｘ軸（横軸）方向に光学情報を拡大してカメラ６により撮影させるように構成されている。このＸ軸として、カメラ６により形成される光軸Ｅに直交するように光学系が設定されている。
【００３８】
読取時の配置を斜視図により概略的に示す図８において、被写体Ｈ２としてバーコードＢがＸ軸方向に拡大されるようにカメラ６により撮影され、撮影距離（合焦点距離）がカメラ６から例えば約２０ｃｍで設定されるようになり、第１の実施形態の説明と比較して撮影距離がおよそ数分の１程度に短くなる。したがって、合焦点距離を短くすることができ、バーコードを読取る倍率を上げることができるため、第１の実施形態で説明した作用効果を得ることができると共に、バーコードを読取る用途にも使用することができ、さらにユーザはバーコードに焦点を合わせやすくなる。すなわち、従来より合焦点距離が遠く分解能不足が確認されていたため、バーコードＢを読取る用途に使用することができなかったが、カメラ６の光学系に凹面鏡２０を付加して構成することで、合焦点距離を短くすることができ、バーコードを読取る倍率を上げることができるため、バーコードを読取る用途に使用することができ、より汎用性を向上したカメラ付携帯端末機を提供できる。
【００３９】
凹面鏡２０を光学系の一部に適用したので、凸レンズを光学系に適用するものに比較してコストを抑制することができる。
さらに、図８に示すように、携帯電話器１の制御回路が表示部３にカメラ６が捉えている画像を表示させるので、ユーザは、表示部３に表示された画像を確認しながら操作することができる。しかも、良好な状態で被写体Ｈ２の画像が得られているか否かを確認することができる。
【００４０】
尚、Ｘ軸方向に拡大する構成を示したが、このＸ軸方向に直交するＹ軸（縦軸）方向（カメラ６の光軸Ｅに直交）にも拡大するように凹面鏡を設けても良い。この場合、Ｙ軸方向にも拡大させることができるため、バーコードに限らず２次元コードの拡大倍率を上げることができ、２次元コード等の光学情報を読取る用途にも使用することができる。
【００４１】
（第３の実施形態）
図９および図１０は、本発明の第３の実施形態を示すもので、第１の実施形態と異なるところは、光学系として反射鏡１１に加えて凸レンズを設けることによりバーコードや２次元コード等の光学情報を拡大して受光センサに結像させるように構成したところにある。第１の実施形態と同一部分に付いては同一符号を付してその説明を省略し以下異なる部分についてのみ説明する。
【００４２】
反射鏡１１の非使用状態の縦断側面を示す図９において、スライド操作部２５は、第１の実施形態で説明したスライド操作部１２と略同様の構成からなっており、さらにスライド操作部２５内には、凸レンズ２６が固定されている。このスライド操作部２５が操作されることにより、凸レンズ２６が本体部２の背面部２ｂに沿って平行に移動し、カメラ６の結像レンズ９の背面側に位置するように移動し（図１０参照）、同時に、第１の実施形態での説明と同様に、起立部１３が背面側に起き上がり、この起き上がり終了状態で、光軸の反射角度θが９０度に設定される。この場合、可動部２７は、起立部１３とスライド操作部２５と凸レンズ２６とからなっており、当該可動部２７および反射鏡１１により、第２の光学部Ｄに相当するものが構成される。凸レンズ２６の光学的作用は第２の実施形態で挙げた凹面鏡２０の光学的作用と略同様であり、これにより第２の実施形態と略同様の作用効果を奏する。
【００４３】
（第４の実施形態）
図１１および図１２は、本発明の第４の実施形態を示すもので、第１ないし第３の実施形態と異なるところは、折り畳み式の携帯電話機に適用したところにある。第１ないし第３の実施形態と同一部分に付いては同一符号を付してその説明を省略し、以下、異なる部分についてのみ説明する。
図１１および図１２は、折り畳み式の携帯電話機の側面図を示している。カメラ内蔵型折り畳み式携帯電話機３０は、主体部３１とフリッパ部３２とから本体部３３が構成されており、主体部３１とフリッパ部３２とは、軸３４を中心として回動可能に連結されている。携帯電話機３０は、図１１に示すように、主体部３１およびフリッパ部３２を二つに折りたたんだ閉状態と、図１２に示すように、主体部３１およびフリッパ部３２を伸ばした開状態にすることができるように構成されている。図１２に示すように、主体部３１，フリッパ部３２の前面と背面がそれぞれ略平行に成形されている。
【００４４】
この場合、使用状態を概略的に示す図１２において、開状態とされたときには、主体部３１とフリッパ部３２とのなす角θ１が鈍角となるように設定されており、反射鏡１１が使用状態とされたときには、反射鏡１１の反射角度θ２は、略（２７０−θ１）度となる鈍角に設定されている。したがって、図１２に示すように、操作指示面４ｂに沿った方向に光軸Ｅ２が形成され、本体部３３の長手方向先端方向に光軸Ｅ２が形成されるようになっている。上述説明に代えて詳述しないが、フリッパ部３２の前面側３２ａには表示部３が配設されており、フリッパ部３２の内部には、カメラ６，可動部１０等が形成されている（図１１および図１２には図示せず）。尚、反射鏡１１に代えて凹面鏡２０を適用しても良い。このような折り畳み式の携帯電話機によっても、第１，第２，第３の実施形態と略同様の作用効果を奏する。
【００４５】
（他の実施形態）
なお、本発明は上記し且つ図面に示す実施形態に限定されるものではなく、以下のような拡張或いは変更が可能である。
ストレート式もしくは折り畳み式のカメラ内蔵型携帯電話機に適用して示したが、例えばカメラ内蔵型のＰＤＡに適用しても良い。
上述においては、撮影方向が切り替えられることにより携帯電話機１の背面側もしくは上方を撮影する実施形態を示したが、携帯電話機１の前面側もしくは上方を撮影するように構成しても良い。すなわち、本体部２の前面側に撮影口６ａが設けられ、反射鏡１１もしくは凹面鏡２０および可動部１０が前面側に設けられていても良い。
ＣＭＯＳイメージセンサ８を受光センサとして適用して示したが、例えばＣＣＤのように、複数の受光素子を有するものであれば何れの受光センサを使用しても良い。
【図面の簡単な説明】
【図１】本発明の第１の実施形態を示す反射鏡の使用状態における携帯電話機の縦断側面図
【図２】反射鏡の非使用状態における（ａ）前面斜視図，（ｂ）背面斜視図
【図３】反射鏡の非使用状態における携帯電話機の（ａ）Ｐ−Ｐ縦断側面図，（ｂ）背面図，（ｃ）Ｑ−Ｑ断面図
【図４】反射鏡の使用状態における背面斜視図
【図５】反射鏡の使用状態における背面図
【図６】光学系の構成を概略的に示す図
【図７】本発明の第２の実施形態を示す図６相当図
【図８】バーコード読取時の配置を概略的に示す図
【図９】本発明の第３の実施形態を示す図３（ａ）相当図
【図１０】図１相当図
【図１１】本発明の第４の実施形態を示す折り畳み式携帯電話機の側面図
【図１２】折り畳み式携帯電話機の反射鏡の使用状態を示す図
【符号の説明】
１はカメラ内蔵型ストレート式携帯電話機（カメラ付携帯端末機）、２は本体部、２ａは前面部、２ｂは背面部、２ｃは係合孔、３は表示部、４は操作部、４ａはキー、４ｂは操作指示面、５はアンテナ、６はカメラ、６ａは撮影口、８はＣＭＯＳイメージセンサ（受光センサ）、９は結像レンズ（第１の光学部）、１０は可動部、１１は反射鏡、１２はスライド操作部、１２ａは弾性片部、１２ｃは係合爪（位置決め機構）、１３は起立部、１３ａは起立部の一端部、１３ｂは起立部の他端部、１５は基軸、１６は回動部、２０は凹面鏡、２５はスライド操作部、２６は凸レンズ、３０はカメラ内蔵型折り畳み式携帯電話機（カメラ付携帯端末機）、３１は主体部、３２はフリッパ部、３３は本体部、Ｂはバーコード（光学情報）、Ｃ，Ｄは第２の光学部、Ｅ，Ｅ２は光軸、Ｈ１，Ｈ２は被写体である。
【図１】
2004080147.tif 000003
【図２】
2004080147.tif 000004
【図３】
2004080147.tif 000005
【図４】
2004080147.tif 000006
【図５】
2004080147.tif 000007
【図６】
2004080147.tif 000008
【図７】
2004080147.tif 000009
【図８】
2004080147.tif 000010
【図９】
2004080147.tif 000011
【図１０】
2004080147.tif 000012
【図１１】
2004080147.tif 000013
【図１２】
2004080147.tif 000014